(57)【要約】【課題】レーザ光源と透過照明光源とを備えた顕微鏡において、視野絞りおよび開口絞りをレーザ光から保護することができる顕微鏡を提供する。【解決手段】レーザ光Ｌを射出するレーザ光源１１と、レーザ光源１１からのレーザ光Ｌを標本Ａに照射するレーザ光照射光学系１０と、透過照明光Ｖを射出するランプ光源１２と、レーザ光照射光学系１０とは標本Ａを挟んで反対側に配置され、開口絞り２２および視野絞り２４を有し、ランプ光源１２からの透過照明光Ｖを標本Ａに照射する透過照明光学系２０と、標本Ａからの光を集める観察光学系５０Ａ，５０Ｂと、開口絞り２２および視野絞り２４の開度が最大開度である場合に、レーザ光源１１に対してレーザ光Ｌの射出を許可する制御装置３０とを備える顕微鏡１を採用する。【選択図】図１
2013120219.tif 000002
【特許請求の範囲】
【請求項１】
レーザ光を射出するレーザ光源と、
前記レーザ光源からのレーザ光を標本に照射するレーザ光照射光学系と、
透過照明光を射出する透過照明光源と、
前記レーザ光照射光学系とは標本を挟んで反対側に配置され、開口絞りおよび視野絞りを有し、前記透過照明光源からの透過照明光を標本に照射する透過照明光学系と、
前記標本からの光を集める観察光学系と、
前記開口絞りおよび前記視野絞りの開度が最大開度である場合に、前記レーザ光源に対してレーザ光の射出を許可する制御部とを備える顕微鏡。
【請求項２】
前記開口絞りの開度を調節する開口絞り調節部と、
前記視野絞りの開度を調節する視野絞り調節部とを備え、
前記制御部が、前記レーザ光源からレーザ光を射出する際に、前記開口絞りおよび前記視野絞りが最大開度となるように前記開口絞り調節部および前記視野絞り調節部を制御する請求項１に記載の顕微鏡。
【請求項３】
前記制御部が、前記レーザ光源からのレーザ光の射出が終了した場合に、前記開口絞りおよび前記視野絞りの開度をレーザ光射出前の大きさとなるように前記開口絞り調節部および前記視野絞り調節部を制御する請求項２に記載の顕微鏡。
【請求項４】
前記レーザ光源からのレーザ光を遮断するシャッタと、
前記開口絞りおよび前記視野絞りの開度がレーザ光の光束径よりも大きくなったことを検知するセンサとを備え、
前記制御部が、前記センサにより前記開口絞りおよび前記視野絞りの開度が最大開度になったことが検知された場合に、前記シャッタを開く請求項１から３のいずれかに記載の顕微鏡。
【発明の詳細な説明】
【技術分野】
【０００１】
本発明は、顕微鏡に関するものである。
【背景技術】
【０００２】
従来、レーザ光を射出するレーザ光源と、透過照明観察を行う透過照明光源とを備え、レーザ光を標本に照射することで蛍光観察を行うことができるとともに、透過照明光を標本に照射することで透過照明光観察を行うことができる顕微鏡が知られている（例えば特許文献１参照）。
【先行技術文献】
【特許文献】
【０００３】
【特許文献１】特開２００５−１４０８５０号公報
【発明の概要】
【発明が解決しようとする課題】
【０００４】
ところで、一般的に、顕微鏡の光学性能は対物レンズの性能に左右される。しかし、透過照明光観察において、対物レンズの性能に合わせた最適な照明をしなければ本来の性能を発揮することはできない。そのため、顕微鏡の照明光学系に視野絞りと開口絞りを備えて、最適な照明を実現する。特に、照野を制御する視野絞りは、絞り込んだ方がコントラストを向上できるので、視野がケラレない程度に絞り込むことが重要である。一方、開口絞りは、照明ＮＡを対物のＮＡの８０％程度に絞ることで最良のエッジ像が得られる。
【０００５】
一方、レーザ光を励起光源とする蛍光観察において、より明るい蛍光画像を取得したいという要求や、より深部を観察したいという要求に応えるために、近年、レーザ光のパワーの高いものが採用されている。特に２光子励起観察を行うためのレーザ光は、対物出射時のレーザパワー（平均パワー）が５００ｍＷを超えることもある。
【０００６】
しかしながら、特許文献１に開示されている顕微鏡において、高パワーのレーザ光が照射されると不都合が生ずる部位がある。その代表的なものが視野絞りと開口絞りであり、視野絞りと開口絞りを構成している「ハネ」の材質は鉄系で、厚さ０．１ｍｍ以下で黒い塗装処理をしているのが一般的である。
【０００７】
その「ハネ」に高パワーのレーザ光が照射されると、塗装が焦げる、あるいは焼けて発煙する。さらには「ハネ」自身が溶融、変形するといった状況が発生し、本来の視野絞り、開口絞りの性能が発揮できなくなるという不都合がある。
【０００８】
本発明は、上述した事情に鑑みてなされたものであって、レーザ光源と透過照明光源とを備えた顕微鏡において、視野絞りおよび開口絞りをレーザ光から保護することができる顕微鏡を提供することを目的とする。
【課題を解決するための手段】
【０００９】
上記目的を達成するために、本発明は以下の手段を採用する。
本発明は、レーザ光を射出するレーザ光源と、前記レーザ光源からのレーザ光を標本に照射するレーザ光照射光学系と、透過照明光を射出する透過照明光源と、前記レーザ光照射光学系とは標本を挟んで反対側に配置され、開口絞りおよび視野絞りを有し、前記透過照明光源からの透過照明光を標本に照射する透過照明光学系と、前記標本からの光を集める観察光学系と、前記開口絞りおよび前記視野絞りの開度が最大開度である場合に、前記レーザ光源に対してレーザ光の射出を許可する制御部とを備える顕微鏡を採用する。
【００１０】
本発明によれば、レーザ光源からレーザ光を射出して、該レーザ光をレーザ光照射光学系により標本に照射することで、標本から発生した蛍光を観察光学系により集めて蛍光観察を行うことができる。また、透過照明光源から透過照明光を射出して、該透過照明光を透過照明光学系により標本に照射することで、標本からの光を観察光学系により集めて透過照明光観察を行うことができる。
【００１１】
このような顕微鏡において、蛍光観察を行う際、すなわちレーザ光源からレーザ光を射出する際に、制御部は、透過照明光学系の開口絞りおよび視野絞りの開度が最大開度である場合にレーザ光源に対してレーザ光の射出を許可する。このようにすることで、開口絞りおよび視野絞りに、標本を透過してきた高パワーのレーザ光が照射されてしまうことを防止することができ、開口絞りおよび視野絞りのレーザ光による溶融や変形といった不具合を防止することができる。
【００１２】
上記発明において、前記開口絞りの開度を調節する開口絞り調節部と、前記視野絞りの開度を調節する視野絞り調節部とを備え、前記制御部が、前記レーザ光源からレーザ光を射出する際に、前記開口絞りおよび前記視野絞りが最大開度となるように前記開口絞り調節部および前記視野絞り調節部を制御することとしてもよい。
【００１３】
このような構成とすることで、レーザ光源からレーザ光を射出する際に、開口絞り調節部および視野絞り調節部により、自動的に開口絞りおよび視野絞りの開度を最大開度にすることができる。これにより、確実に、開口絞りおよび視野絞りに高パワーのレーザ光が照射されてしまうことを防止することができる。
【００１４】
上記発明において、前記制御部が、前記レーザ光源からのレーザ光の射出が終了した場合に、前記開口絞りおよび前記視野絞りの開度をレーザ光射出前の大きさとなるように前記開口絞り調節部および前記視野絞り調節部を制御することとしてもよい。
このようにすることで、透過照明光観察を行う場合、すなわち透過照明光源から透過照明光を射出する場合に、開口絞りおよび視野絞りの開度をレーザ光射出前の状態とすることができ、透過照明光観察の観察精度の向上と観察時間の短縮を図ることができる。
【００１５】
上記発明において、前記レーザ光源からのレーザ光を遮断するシャッタと、前記開口絞りおよび前記視野絞りの開度がレーザ光の光束径よりも大きくなったことを検知するセンサとを備え、前記制御部が、前記センサにより前記開口絞りおよび前記視野絞りの開度が最大開度になったことが検知された場合に、前記シャッタを開くこととしてもよい。
【００１６】
このような構成とすることで、センサにより開口絞りおよび視野絞りの開度が最大開度になったことが検知された場合に、シャッタを開いてレーザ光を射出することができ、開口絞りおよび視野絞りに高パワーのレーザ光が照射されてしまうことを確実に防止することができる。
【発明の効果】
【００１７】
本発明によれば、レーザ光源と透過照明光源とを備えた顕微鏡において、視野絞りおよび開口絞りをレーザ光から保護することができるという効果を奏する。
【図面の簡単な説明】
【００１８】
【図１】本発明の第１および第２の実施形態に係る顕微鏡の概略構成図である。
【図２】第１の実施形態に係る顕微鏡により実行される処理を示すフローチャートである。
【図３】第２の実施形態に係る顕微鏡により実行される処理を示すフローチャートである。
【図４】本発明の第３の実施形態に係る顕微鏡の概略構成図である。
【図５】図４の顕微鏡により実行される処理を示すフローチャートである。
【図６】従来の顕微鏡の概略構成図である。
【発明を実施するための形態】
【００１９】
［第１の実施形態］
本発明の第１の実施形態に係る顕微鏡について図面を参照して以下に説明する。
本実施形態に係る顕微鏡１は、図１に示されるように、レーザ光Ｌを射出するレーザ光源１１と、透過照明光Ｖを射出するランプ光源（透過照明光源）１２と、レーザ光源１１からのレーザ光Ｌを標本Ａに照射するレーザ光照射光学系１０と、ランプ光源１２からの透過照明光Ｖを標本Ａに照射する透過照明光学系２０と、標本Ａからの光を集める観察光学系５０Ａ，５０Ｂと、レーザ光照射光学系１０および透過照明光学系２０を制御する制御装置（制御部）３０とを備えている。
【００２０】
レーザ光源１１は、多光子励起を目的とした近赤外の波長の極短パルスレーザ光を射出する高出力のレーザ光源である。
【００２１】
レーザ光照射光学系１０は、レーザ光源１１からのレーザ光Ｌを標本Ａ上で２次元走査するガルバノスキャナ１６と、瞳投影レンズ１７と、レーザ光源１１からのレーザ光Ｌの光路と標本Ａからの光の光路の交点上に配置されたミラー１３と、レンズ１５と、ミラー１３からのレーザ光Ｌを標本Ａに集光する対物レンズ１４とを備えている。
【００２２】
ミラー１３は、ランプ光源１２の光軸上に挿脱される可動式のダイクロイックミラーである。ミラー１３は、レーザ光源１１からレーザ光Ｌを射出する場合には、ランプ光源１２の光軸上に挿入され、レーザ光源１１からのレーザ光Ｌを反射するようになっている。一方、ランプ光源１２から透過照明光Ｖを射出する場合には、ランプ光源１２の光軸上から外されて、ランプ光源１２からの透過照明光Ｖを通過させるようになっている。また、ミラー１３は、レーザ光Ｌが標本Ａに照射されることで標本Ａにおいて発生した蛍光を透過する特性を有している。このような特性を有することで、ミラー１３は、レーザ光源１１からのレーザ光Ｌと、標本Ａからの光とを分岐するようになっている。
【００２３】
また、レーザ光源１１からのレーザ光Ｌの光路上には、レーザ光源１１からのレーザ光Ｌを遮断するシャッタ３１が配置されている。シャッタ３１は、制御装置３０からの指令に基づいてレーザシャッタ駆動部３２により駆動され、レーザ光Ｌの標本Ａへの照射をＯＮ／ＯＦＦするようになっている。
【００２４】
シャッタ３１の具体的な機構としては、例えば、機械的に開閉する開閉機構や、音響光学素子を使用した開閉機構を採用する。あるいは、シャッタ３１に代えて、レーザ光源１１を直接電気的な制御を行うことで、レーザ光Ｌの発振をＯＮ／ＯＦＦする方式としてもよい。
【００２５】
透過照明光学系２０は、標本Ａを挟んでレーザ光照射光学系１０とは反対側に配置されている。透過照明光学系２０は、ランプ光源１２からの透過照明光Ｖをリレーするレンズ２３，２５と、レンズ２３，２５によりリレーされた透過照明光Ｖを標本Ａに集光する対物コンデンサレンズ２１と、コンデンサレンズ２１とレンズ２３との間に配置された開口絞り２２と、レンズ２３とレンズ２５との間に配置された視野絞り２４とを備えている。
【００２６】
開口絞り２２は、制御装置３０からの指令に基づいて、電動開口絞り（開口絞り調節部）２６によりその開口の大きさ（開度）が調節されるようになっている。
視野絞り２４は、制御装置３０からの指令に基づいて、電動視野絞り（視野絞り調節部）２７によりその開口の大きさ（開度）が調節されるようになっている。
なお、図において、電動開口絞り２６および電動視野絞り２７は、それぞれ電動ＡＳおよび電動ＦＳと表記している。
【００２７】
制御装置３０は、レーザシャッタ駆動部３２によりシャッタ３１を駆動して、レーザ光Ｌの標本Ａへの照射をＯＮ／ＯＦＦするようになっている。
また、制御装置３０は、電動開口絞り２６および電動視野絞り２７により、開口絞り２２および視野絞り２４の開口の大きさを調節するようになっている。
【００２８】
具体的には、制御装置３０は、レーザ光源１１からレーザ光Ｌを射出する際に、開口絞り２２および視野絞り２４の開度を最大開度になるように電動開口絞り２６および電動視野絞り２７を制御するようになっている。ここで、「最大開度」とは、開口絞り２２および視野絞り２４をメカ的に最大限開いた状態の開度であり、本実施形態のように電動絞りの場合には電動制御で最大に開いた状態の開度をいう。
【００２９】
また、制御装置３０は、レーザシャッタ駆動部３２によるシャッタ３１の制御と、電動視野絞り２７による視野絞り２４の電動制御および電動開口絞り２６による開口絞り２２の電動制御とが排他仕様とされている。すなわち、制御装置３０は、電動開口絞り２６および電動視野絞り２７の駆動制御量（駆動量）によって、開口絞り２２および視野絞り２４が最大開度であることを検出することができるようになっている。そして、制御装置３０は、開口絞り２２および視野絞り２４が最大開度である場合に、レーザ光源１１（レーザシャッタ駆動部３２）に対してレーザ光Ｌの射出を許可するようになっている。
【００３０】
上記制御を行うことで、制御装置３０は、電動視野絞り２７による視野絞り２４の全開動作および電動開口絞り２６による開口絞り２２の全開動作を完了した後でなければ、レーザシャッタ駆動部３２によるシャッタ３１の開動作を行えないようになっている。なお、開口絞り２２および視野絞り２４が最大開度であることの検出は、センサ（図示略）によって行うこととしてもよい。
【００３１】
レーザ観察光学系５０Ａは、レーザ光源１１からのレーザ光Ｌの射出によって生じる蛍光を検出する光学系であり、後述するミラー５１の透過方向に配置されたレンズ５３および光検出器５４とを備えている。
透過観察光学系５０Ｂは、ランプ光源１２からの透過照明光Ｖの射出による透過像を観察する光学系であり、ミラー１３の標本Ａからの光の透過方向に配置されたミラー５１と、ミラー５１の反射方向に配置された接眼レンズ５２とを備えている。
【００３２】
ミラー５１は、ランプ光源１２の光軸上に挿脱される可動式の全反射ミラーである。ミラー５１は、レーザ光源１１からレーザ光Ｌを射出する場合には、ランプ光源１２の光軸上から外され、レーザ光Ｌが標本Ａに照射されることで標本Ａにおいて発生した蛍光を通過させるようになっている。一方、ランプ光源１２から透過照明光Ｖを射出する場合には、ランプ光源１２の光軸上に挿入され、透過照明光Ｖが標本Ａに照射されることで標本Ａを透過してきた光を反射するようになっている。
【００３３】
光検出器５４は、例えばＰＭＴ（Photomultiplier Tube：光電子増倍管）であり、標本Ａにおいて発生した蛍光を検出する。この検出した蛍光強度と、ガルバノスキャナ１６の標本Ａ上の位置と対応付けることで標本Ａの蛍光画像を生成するようになっている。また、ミラー５１により反射された標本Ａを透過してきた光は、接眼レンズ５２により結像され、標本Ａの目視観察が行えるようになっている。なお、透過照明光観察は、ＴＶカメラによって行うこととしてもよい。
【００３４】
上記構成を有する本実施形態に係る顕微鏡１の作用について、図２に示すフローチャートを用いて以下に説明する。
まず、蛍光観察、すなわちレーザ光Ｌにより標本Ａの撮像をしようとしたときには、まず制御装置３０により使用する光源としてレーザ光源１１を選択し、レーザシャッタ駆動部３２によりシャッタ３１を駆動して、レーザ光Ｌの標本Ａへの照射をＯＮにする（ステップＳ１）。
【００３５】
この際、直ちにシャッタ３１が開くと、視野絞り２４あるいは開口絞り２２にレーザ光Ｌが照射される可能性があるため、シャッタ３１を開く前に、視野絞り２４および開口絞り２２の開度を全開にする（ステップＳ２）。なお、視野絞り２４と開口絞り２２の開度の調節の順番は、どちらが早くてもよく、同時でも構わない。
【００３６】
次に、視野絞り２４と開口絞り２２の開度が全開になったところで、レーザシャッタ駆動部３２によりシャッタ３１を駆動して、シャッタ３１を開く（ステップＳ３）。
この状態において、レーザ光源１１からレーザ光Ｌを射出して、レーザ光Ｌをレーザ光照射光学系１０により標本Ａに照射することで、標本Ａから発生した蛍光をレーザ観察光学系５０Ａにより集めて蛍光観察を行うことができる（ステップＳ４）。
【００３７】
ここで、本実施形態に係る顕微鏡１の比較例として、視野絞りおよび開口絞りを備えた従来の顕微鏡に、光源としてレーザ光を導入する場合について説明する。
図６に示すように、従来の顕微鏡１００によれば、蛍光観察、すなわちレーザ光源１１からレーザ光Ｌを射出する際に、透過照明光学系２０の開口絞り２２および視野絞り２４に標本Ａを透過してきたレーザ光Ｌが照射されてしまう可能性がある。開口絞り２２および視野絞り２４に高パワーのレーザ光Ｌが照射されると、開口絞り２２および視野絞り２４が溶融、変形するといった不具合が発生する場合がある。
【００３８】
これに対して、本実施形態に係る顕微鏡１によれば、前述のように、蛍光観察、すなわちレーザ光源１１からレーザ光Ｌを射出する際に、透過照明光学系２０の開口絞り２２および視野絞り２４の開度を最大開度にする。このようにすることで、開口絞り２２および視野絞り２４に高パワーのレーザ光Ｌが照射されてしまうことを防止することができ、開口絞り２２および視野絞り２４のレーザ光Ｌによる溶融や変形といった不具合を防止することができる。
【００３９】
また、この場合に、制御装置３０が開口絞り２２および視野絞り２４の開度が最大開度となるように電動開口絞り２６および電動視野絞り２７を制御することで、より確実に、開口絞り２２および視野絞り２４に高パワーのレーザ光Ｌが照射されてしまうことを防止することができる。
【００４０】
なお、本来のレンズ位置（フォーカス位置）であれば、レーザ光源１１からレーザ光Ｌは視野絞り２４の位置に集光するため、単位面積当たりのレーザ光Ｌのパワーが大きくなる視野絞り２４のみ開放すれば良い。しかしながら、何らかの理由で対物レンズ１４の位置やコンデンサレンズ２１の位置がフォーカス位置からズレている（デフォーカス状態）場合には、開口絞り２２にレーザ光Ｌが集光する可能性もあるため、開口絞り２２の開度も全開とする。
【００４１】
［第２の実施形態］
以下に、第２の実施形態に係る顕微鏡２について、図３を参照して説明する。以降では、各実施形態に係る顕微鏡について、前述の実施形態に係る顕微鏡と共通する点については同一の符号を付して説明を省略し、前述の実施形態に係る顕微鏡と異なる点について主に説明する。
【００４２】
本実施形態に係る顕微鏡２は、前述の第１の実施形態に係る顕微鏡１と同様の構成を有しており、第１の実施形態に係る顕微鏡１とは制御装置３０により実行される制御が一部異なっている。
図３は、本実施形態に係る顕微鏡２により実行される処理を示すフローチャートである。
【００４３】
本実施形態に係る顕微鏡２は、第１の実施形態と同様に、シャッタ３１が開いた状態でレーザ光Ｌによる撮像が可能となるが、レーザ光Ｌによる撮像が完了した時点で、それ以前の観察方法に戻りたいとき（たとえば目視観察、あるいはＣＣＤカメラによる観察）には、シャッタ３１を閉じる必要がある。
【００４４】
この場合には、制御装置３０においてシャッタ３１の「閉」を選択すると（ステップＳ１１）、レーザシャッタ駆動部３２によりシャッタ３１が駆動されて、直ちにシャッタ３１が閉じられる（ステップＳ２２）。
【００４５】
シャッタ３１が閉じたところで、制御装置３０からの指令に基づいて、電動視野絞り２７により視野絞り２４が駆動されるとともに、電動開口絞り２６により開口絞り２２が駆動され、視野絞り２４と開口絞り２２の開度がレーザ光Ｌ射出前の径に設定される（ステップＳ１３）。これは、レーザ光Ｌ射出前の視野絞り２４と開口絞り２２の開度をメモリ（図示略）に記憶しておくことで可能となる。
【００４６】
この場合に、制御装置３０によるインターロックにより、レーザ光源１１からのレーザ光Ｌの射出が禁止される。この状態において、透過照明光Ｖを透過照明光学系２０により標本Ａに照射することで、標本Ａを透過してきた光を透過観察光学系５０Ｂにより集めて透過照明光観察（目視観察）を行うことができる（ステップＳ１４）。
【００４７】
以上のように、本実施形態に係る顕微鏡２によれば、透過照明光観察を行う場合、すなわちランプ光源１２から透過照明光Ｖを射出する場合に、開口絞り２２および視野絞り２４の開度をレーザ光Ｌ射出前の状態とすることができ、透過照明光観察の観察精度を向上することができる。
【００４８】
［第３の実施形態］
以下に、第３の実施形態に係る顕微鏡３について、図４および図５を参照して説明する。
本実施形態に係る顕微鏡３が、前述の実施形態に係る顕微鏡と異なる点は、開口絞り２２と視野絞り２４が電動ではなく、手動であることである。そのため、開口絞り２２と視野絞り２４の開度の調節は、前述の実施形態のように制御装置３０により自動的に行うのではなく、ユーザが手動開口絞り４６および手動視野絞り４７を操作して行うようになっている。
【００４９】
その代わりに、本実施形態に係る顕微鏡３は、図４に示すように、開口絞り２２と視野絞り２４が全開になったことを検知するセンサ４２，４４を設置し、これらセンサ４２，４４からの信号が制御装置３０に出力される構成としている。
【００５０】
上記構成を有する本実施形態に係る顕微鏡３の作用について、図５を用いて以下に説明する。
まず、蛍光観察、すなわちレーザ光Ｌにより標本Ａの撮像をしようとしたときに、まず制御装置３０により使用する光源としてレーザ光源１１を選択し、レーザシャッタ駆動部３２によりシャッタ３１を駆動して、レーザ光Ｌの標本Ａへの照射をＯＮにする（ステップＳ２１）。
【００５１】
この際、直ちにシャッタ３１が開くと、視野絞り２４あるいは開口絞り２２にレーザ光Ｌが照射される可能性があるため、シャッタ３１を開く前に、開口絞り２２および視野絞り２４の開度を手動（手動開口絞り４６および手動視野絞り４７の操作）により全開にし、その開度をセンサ４２，４４により確認する（ステップＳ２２）。
【００５２】
この場合において、センサ４２，４４がＯＦＦ、すなわち開口絞り２２と視野絞り２４の少なくとも一方の開度が全開でない場合には、制御装置３０のインターロックによりシャッタ３１の開動作が禁止される（ステップＳ２３）。この場合に、警報等の報知手段によりユーザに対して、開口絞り２２と視野絞り２４の少なくとも一方の開度が全開でないことを報知することが望ましい。
【００５３】
一方、センサ４２，４４がＯＮ、すなわち開口絞り２２と視野絞り２４の両方の開度が全開の場合には、制御装置３０のインターロックが解除され、レーザシャッタ駆動部３２によりシャッタ３１を駆動して、シャッタ３１が開かれる（ステップＳ２４）。
【００５４】
この状態において、レーザ光源１１からレーザ光Ｌを射出して、レーザ光Ｌをレーザ光照射光学系１０により標本Ａに照射することで、標本Ａから発生した蛍光をレーザ観察光学系５０Ａにより集めて蛍光観察を行うことができる（ステップＳ２５）。
【００５５】
以上のように、本実施形態に係る顕微鏡３によれば、センサ４２，４４により開口絞り２２および視野絞り２４の開度が最大開度になったことが検知された場合に、シャッタを開いてレーザ光Ｌを射出することができ、開口絞り２２および視野絞り２４に標本Ａを透過してきた高パワーのレーザ光Ｌが照射されてしまうことを確実に防止することができる。
【００５６】
以上、本発明の各実施形態について図面を参照して詳述してきたが、具体的な構成はこの実施形態に限られるものではなく、本発明の要旨を逸脱しない範囲の設計変更等も含まれる。例えば、本発明を、上記の各実施形態を適宜組み合わせた実施形態に適用してもよい。
【００５７】
また、各実施形態において、レーザ光源１１からレーザ光Ｌを射出する際に、開口絞り２２および視野絞り２４を全開にすることとして説明したが、レーザ光Ｌの光束径よりも大きくなるように開度を調節すればよい。
【符号の説明】
【００５８】
Ａ  標本
Ｌ  レーザ光
Ｖ  透過照明光
１，２，３  顕微鏡
１０  レーザ光照射光学系
１１  レーザ光源
１２  ランプ光源（透過照明光源）
１３  ミラー
１４  対物レンズ
１５  レンズ
１６  ガルバノスキャナ
１７  レンズ
２０  透過照明光学系
２１  レンズ
２２  開口絞り
２３  レンズ
２４  視野絞り
２５  レンズ
２６  電動開口絞り（開口絞り調節部）
２７  電動視野絞り（視野絞り調節部）
３０  制御装置（制御部）
３１  シャッタ
４２，４４  センサ
４６  手動開口絞り
４７  手動視野絞り
５０Ａ  レーザ観察光学系（観察光学系）
５０Ｂ  透過観察光学系（観察光学系）
５１  ミラー
５２  接眼レンズ
５３  レンズ
５４  光検出器
【図１】
2013120219.tif 000003
【図２】
2013120219.tif 000004
【図３】
2013120219.tif 000005
【図４】
2013120219.tif 000006
【図５】
2013120219.tif 000007
【図６】
2013120219.tif 000008